(57)【要約】【課題】フィルタの着脱部を閉じる支持枠の一部がフィルタの反発力によって開くことを防止する空調機のフィルタ保持機構を提供する。【解決手段】室内ユニット２では、保持部材４３の２つの軸４３１と軸４３２が制止部材４４の案内スリット４４ａに並んで嵌まり込んでおり、且つ、その案内スリット４４ａがフィルタ案内溝４２の延びていく方向と交差している。保持部材４３がフィルタ２１の反発力によって回動しそうになっても、軸４３１と軸４３２とが保持部材４３の回動を阻止する。また、保持部材４３がフィルタ案内溝４２の前方案内溝４２ａを成す第１位置では、軸４３１と軸４３２との隙間に第１突起４４１が嵌まり込んでいるため、保持部材４３がフィルタ２１の反発力によって案内スリット４４ａに沿って移動することができない。【選択図】図５
2010065882.tif 000002
【特許請求の範囲】
【請求項１】
フィルタ（２１）を着脱可能に保持する空調機のフィルタ保持機構であって、
前記フィルタ（２１）の一部の縁を保持して前記フィルタ（２１）を湾曲させる経路を構成する保持部材（４３）と、
前記保持部材（４３）を定位置に止める制止部材（４４）と、
を備え、
前記制止部材（４４）は、前記フィルタ（２１）の前記縁が延びていく方向と交差する直線に沿って前記定位置から前記保持部材（４３）を移動させるための案内部（４４ａ）を有している、
空調機のフィルタ保持機構。
【請求項２】
前記フィルタ（２１）の前記縁を前記保持部材（４３）と共に保持する支持枠（４１）と、
前記フィルタ（２１）を移動させる駆動部（３１）と、
をさらに備え、
前記支持枠（４１）は、前記フィルタ（２１）が移動するときに前記フィルタ（２１）の前記縁を所定の湾曲軌道に沿わせるフィルタ案内部（４２）を有している、
請求項１に記載の空調機のフィルタ保持機構。
【請求項３】
前記フィルタ（２１）の前記縁が移動する軌道は、前記フィルタ案内部（４２）が延びていく方向に延びている、
請求項２に記載の空調機のフィルタ保持機構。
【請求項４】
前記制止部材（４４）は、
前記保持部材（４３）が前記フィルタ（２１）を保持している第１位置で前記保持部材（４３）を止める第１停止部（４４ｂ）と、
前記保持部材（４３）が前記フィルタ（２１）から所定距離はなれた第２位置で前記保持部材（４３）を止める第２停止部（４４ｃ）と、
をさらに有し、
前記案内部（４４ａ）は、前記保持部材（４３）を、前記第１位置から前記第２位置へ、及び前記第２位置から前記第１位置へ案内する、
請求項２に記載の空調機のフィルタ保持機構。
【請求項５】
前記案内部（４４ａ）は凹溝、又はスリットであって、
前記保持部材（４３）は、前記案内部（４４ａ）に嵌まる複数の軸（４３１，４３２）を有している、
請求項４に記載の空調機のフィルタ保持機構。
【請求項６】
前記第１停止部（４４ｂ）は、前記案内部（４４ａ）に形成された第１突起（４４１）を有し、
前記第２停止部（４４ｃ）は、前記案内部（４４ａ）に形成された第２突起（４４２）を有し、
前記保持部材（４３）が第１位置にあるとき、前記第１突起（４４１）が前記軸（４３１，４３２）間の隙間に嵌まり、
前記保持部材（４３）が第２位置にあるとき、前記第２突起（４４２）が前記軸（４３１，４３２）間の前記隙間に嵌まる、
請求項５に記載の空調機のフィルタ保持機構。
【請求項７】
前記案内部（４４ａ）は凹溝、又はスリットであって、
前記保持部材（４３）は、前記案内部（４４ａ）に嵌まる軸（４３６）を有し、
前記軸（４３６）は、前記案内部（４４ａ）の幅よりも大きく且つ前記案内部（４４ａ）の長手方向と平行な長寸部側に、前記案内部（４４ａ）の幅方向に窪む凹部（４３７）を有している、
請求項４に記載の空調機のフィルタ保持機構。
【請求項８】
前記第１停止部（４４ｂ）は、前記案内部（４４ａ）に形成された第１突起（４４１）を有し、
前記第２停止部（４４ｃ）は、前記案内部（４４ａ）に形成された第２突起（４４２）を有し、
前記保持部材（４３）が第１位置にあるとき、前記第１突起（４４１）が前記凹部（４３７）に嵌まり、
前記保持部材（４３）が第２位置にあるとき、前記第２突起（４４２）が前記凹部（４３７）に嵌まる、
請求項７に記載の空調機のフィルタ保持機構。
【請求項９】
前記制止部材（４４）が、前記支持枠（４１）に一体成形されている、
請求項２に記載の空調機のフィルタ保持機構。
【請求項１０】
請求項１から請求項９のいずれか１項に記載のフィルタ保持機構を用いた、
空調機。
【発明の詳細な説明】
【技術分野】
【０００１】
本発明は、フィルタ保持機構に関し、特にフィルタに付着した塵埃を自動的に除去する機能を有するフィルタ保持機構、及びそのフィルタ保持機構を用いた空調機に関する。
【背景技術】
【０００２】
近年、フィルタと清掃手段とを対向させた状態で相対移動させ、そのフィルタに付着した塵埃を除去することができる空調機が広く普及している（例えば、特許文献１参照）。特許文献１に記載の空調機は、フィルタと吸引部とが近接しており、吸引部がフィルタに付着した塵埃を吸引する。フィルタは湾曲した状態で支持枠に支持されており、支持枠の一部がヒンジ式で回動することによってフィルタの着脱部を開閉する。使用者は、その着脱部を開けてフィルタを着脱する。
【０００３】
しかしながら、上記のような構成では、着脱部を閉じる支持枠の一部が、湾曲したフィルタの反発力で回動しフィルタが支持枠から脱落する可能性があった。
【特許文献１】特開２００７−１４７１２２号公報
【発明の開示】
【発明が解決しようとする課題】
【０００４】
本発明の課題は、フィルタの着脱部を閉じる支持枠の一部がフィルタの反発力によって開くことを防止するフィルタ保持機構を提供することにある。
【課題を解決するための手段】
【０００５】
第１発明に係る空調機のフィルタ保持機構は、フィルタを着脱可能に保持する空調機のフィルタ保持機構であって、保持部材と、制止部材とを備えている。保持部材は、フィルタの一部の縁を保持してフィルタを湾曲させる経路を構成する。制止部材は、保持部材を定位置に止める。そして、制止部材は、フィルタの縁が延びていく方向と交差する直線に沿って定位置から保持部材を移動させるための案内部を有している。
【０００６】
フィルタは強制的に湾曲をさせられているので、その湾曲を解消しようとする反発力が保持部材に作用している。しかし、この空調機のフィルタ保持機構では、保持部材は制止部材によって止められており、フィルタの縁が延びていく方向と交差する直線方向に移動しないかぎり、フィルタの保持は緩まない。
【０００７】
第２発明に係る空調機のフィルタ保持機構は、第１発明に係る空調機のフィルタ保持機構であって、支持枠と駆動部とをさらに備えている。支持枠は、フィルタの縁を保持部材と共に保持する。駆動部は、フィルタを移動させる。支持枠は、フィルタが移動するときにフィルタの縁を所定の湾曲軌道に沿わせるフィルタ案内部を有している。
【０００８】
フィルタが湾曲軌道にそって移動するとき、湾曲を解消しようとする力が保持部材に作用している。しかし、この空調機のフィルタ保持機構では、保持部材が制止部材によってとめられており、フィルタの縁が延びていく方向と交差する直線方向に移動しないかぎり、フィルタの保持は緩まない。
【０００９】
第３発明に係る空調機のフィルタ保持機構は、第２発明に係る空調機のフィルタ保持機構であって、フィルタの縁が移動する軌道が、フィルタ案内部が延びていく方向に延びている。この空調機のフィルタ保持機構では、保持部材が制止部材によってとめられており、フィルタ案内部が延びていく方向と交差する直線方向に移動しない限りフィルタの保持は緩まない。
【００１０】
第４発明に係る空調機のフィルタ保持機構は、第２発明に係る空調機のフィルタ保持機構であって、制止部材が、第１停止部と第２停止部とをさらに有している。第１停止部は、保持部材がフィルタを保持している第１位置で保持部材を止める。第２停止部は、保持部材がフィルタから所定距離はなれた第２位置で保持部材を止める。案内部は、保持部材を、第１位置から第２位置へ、及び第２位置から第１位置へ案内する。この空調機のフィルタ保持機構では、案内部が保持部材をフィルタから所定距離はなれた位置で止めるので、保持部材と支持枠との隙間からフィルタを容易に着脱することが可能となる。
【００１１】
第５発明に係る空調機のフィルタ保持機構は、第４発明に係る空調機のフィルタ保持機構であって、案内部が、凹溝、又はスリットである。保持部材は、案内部に嵌まる複数の軸を有している。この空調機のフィルタ保持機構では、複数の軸が案内部に嵌まっているので、保持部材がいずれか１つの軸を中心にして回動することができない。
【００１２】
第６発明に係る空調機のフィルタ保持機構は、第５発明に係る空調機のフィルタ保持機構であって、第１停止部が、案内部に形成された第１突起を有し、第２停止部が、案内部に形成された第２突起を有している。保持部材が第１位置にあるとき第１突起が軸間の隙間に嵌まり、保持部材が第２位置にあるとき、第２突起が軸間の隙間に嵌まる。
【００１３】
この空調機のフィルタ保持機構では、第１位置で、複数の軸が凹溝に嵌まって且つ第１突起が軸間に嵌まっているので、保持部材は制止部材に対して回動も移動もすることができない。同じく、第２位置で、複数の軸が凹溝に嵌まって且つ第２突起が軸間に嵌まっているので、保持部材は制止部材に対して回動も移動もすることができない。
【００１４】
第７発明に係る空調機のフィルタ保持機構は、第４発明に係る空調機のフィルタ保持機構であって、案内部が凹溝、又はスリットである。保持部材は、案内部に嵌まる軸を有している。軸は、案内部の幅よりも大きく且つ案内部の長手方向と平行な長寸部側に、案内部の幅方向に窪む凹部を有している。この空調機のフィルタ保持機構では、案内部の幅寸法より大きい長寸部が案内部に嵌まっているので、保持部材は軸を中心にして回動することができない。
【００１５】
第８発明に係る空調機のフィルタ保持機構は、第７発明に係る空調機のフィルタ保持機構であって、第１停止部が、案内部に形成された第１突起を有し、第２停止部が、案内部に形成された第２突起を有している。保持部材が第１位置にあるとき、第１突起が凹部に嵌まり、保持部材が第２位置にあるとき、第２突起が凹部に嵌まる。
【００１６】
この空調機のフィルタ保持機構では、第１位置では、軸が案内部に嵌まって、且つ第１突起が凹部に嵌まっているので、保持部材は、制止部材に対して回動も移動もすることができない。同じく、第２位置では、軸が案内部に嵌まって、且つ第２突起が凹部に嵌まっているので、保持部材は、制止部材に対して回動も移動もすることができない。
【００１７】
第９発明に係る空調機のフィルタ保持機構は、第２発明に係る空調機のフィルタ保持機構であって、制止部材が支持枠に一体成形されている。この空調機のフィルタ保持機構では、制止部材と支持枠との組立が必要でなくなるので、作業工数が減りコスト低減となる。
【００１８】
第１０発明に係る空調機は、第１発明から第９発明のいずれか１つに係るフィルタ保持機構を用いた空調機である。この空調機では、フィルタ保持機構からフィルタが脱落することが防止され、空調機の内部が塵埃で汚染されることが防止される。
【発明の効果】
【００１９】
第１発明、第２発明、及び第３発明のいずれか１つに係る空調機のフィルタ保持機構では、フィルタ保持機構からフィルタが脱落することはない。
【００２０】
第４発明に係る空調機のフィルタ保持機構では、案内部が保持部材をフィルタから所定距離はなれた位置で止めるので、保持部材と支持枠との隙間からフィルタを容易に着脱することが可能となる。
【００２１】
第５発明、又は第７発明に係る空調機のフィルタ保持機構では、フィルタの湾曲を解消しようとする反発力が保持部材に作用しときでも、保持部材が回動して支持枠から離れることは回避される。
【００２２】
第６発明、又は第８発明に係る空調機のフィルタ保持機構では、保持部材の姿勢が安定する。
【００２３】
第９発明に係る空調機のフィルタ保持機構では、制止部材と支持枠との組立が必要でなくなるので、作業工数が減りコスト低減となる。
【００２４】
第１０発明に係る空調機では、フィルタ保持機構からフィルタが脱落することが防止され、空調機の内部が塵埃で汚染されることが防止される。
【発明を実施するための最良の形態】
【００２５】
以下図面を参照しながら、本発明の実施形態について説明する。なお、以下の実施形態は、本発明の具体例であって、本発明の技術的範囲を限定するものではない。
【００２６】
＜空調機の概略構成＞
以下図面を参照しながら、本発明の実施形態について説明する。なお、以下の実施形態は、本発明の具体例であって、本発明の技術的範囲を限定するものではない。
【００２７】
図１は、本発明の一実施形態に係るフィルタ保持機構を用いた空調機の外観図である。図１において、空調機１は、室内に設置される室内ユニット２と、室外に設置される室外ユニット３とを有しており、室内の冷房および暖房を行うことができる。
【００２８】
室外ユニット３は、室外空調ユニット５と、室外空調ユニット５上に配置される調湿ユニット４とを有している。調湿ユニット４は、室外の空気を室内へ供給し、或いは室内の空気を室外へ排出することができ、室外ユニット３と室内ユニット２との間には、調湿ユニット４からの室外空気や調湿空気等を室内ユニット２側に供給するときに、或いは室内の空気を室外に排出するときに用いられる給排気ホース６が設けられている。
【００２９】
＜室内ユニット２＞
図２は、本発明の一実施形態に係るフィルタ保持機構を用いた空調機の室内ユニットの断面図である。室内ユニット２は、室内の壁面に取り付けられる壁掛け型の室内ユニットであり、図２に示すように、ケーシング１０と、フレーム１１、室内熱交換器１２、ファン１３、フィルタ２１及びダストボックス６０等を有している。
【００３０】
ケーシング１０は、グリル１０ａと前面パネル１０ｂと背面板１０ｃとを含む。グリル１０ａはフィルタ２１を覆うように配置されている。また、前面パネル１０ｂは、グリル１０ａの前面を覆うように取付けられている。
【００３１】
室内ユニット２の内部には、フレーム１１、室内熱交換器１２、ファン１３、及びフィルタ２１が配置されている。室内熱交換器１２及びファン１３は、フレーム１１に取り付けられている。室内熱交換器１２は、通過する空気との間で熱交換を行う。ファン１３は、室内から取り込んだ空気を、室内熱交換器１２に当てて通過させた後、室内に吹き出す。
【００３２】
フレーム１１の前面下部には、吹出し口１５が設けられており、吹出し口１５から吹き出される空気を案内する第１フラップ１７ａ、第２フラップ１７ｂ、第３フラップ１７ｃ及び第４フラップ１７ｄが、吹出し口１５に設けられている。各フラップは、空気の案内方向を変更したり、吹出し口１５を開閉したりすることができる。
【００３３】
（フィルタ清掃部４０）
図３は、フィルタ清掃部の斜視図である。図２及び図３において、フィルタ清掃部４０は、グリル１０ａと室内熱交換器１２との間に配置されている。フィルタ２１は、フィルタ清掃部４０内に収納されている。フィルタ２１は、室内熱交換器１２に向って流入してくる空気に含まれる塵埃を除去し、フィルタ清掃部４０は、塵埃が付着したフィルタ２１を自動清掃し、その塵埃をダストボックス６０に溜める。また、フィルタ清掃部４０は、フィルタ２１を移動させるローラー３１と、フィルタ２１及びローラー３１を支持するガイド部材４１とを有している。
【００３４】
（フィルタ２１）
図４は、フィルタとローラーの斜視図である。図４において、フィルタ２１は、空気中の塵埃を除去するフィルタ部２２と、フィルタ部２２の上下端、左右端及び中央部を支える縁２３とを有する。本実施形態では、縁２３は、エラストマで成形されており、外力によって容易に変形させられるが、外力が無くなると容易に復元される。なお、縁２３の材質はエラストマに限定されるものではなく、ゴム、樹脂などの高分子材料から選定される。フィルタ２１の左右端の縁２３には、ギアと噛み合うラック２４が形成されている。
【００３５】
フィルタ２１は、室内熱交換器１２の上面側に配置され、室内および室外から取り込まれた空気から塵埃を除去する。これにより、フィルタ２１は、空気中に浮遊する塵埃が室内熱交換器１２の表面を汚染することを防止している。フィルタ２１は、正規の状態では、室内熱交換器１２の上面側のほぼ全域を覆うように配置されている。
【００３６】
（ローラー３１）
ローラー３１は、両端にピニオンギア３２を有している。各ピニオンギア３２は、フィルタ２１のラック２４と噛み合い、ピニオンギア３２が回転することによって、フィルタ２１は上下に移動する。各ピニオンギア３２の中央には、外側へ突出する回転軸３３が設けられており、回転軸３３は、ガイド部材４１の軸受に支持される。
【００３７】
（ガイド部材４１）
図２及び図３において、ガイド部材４１は、フィルタ２１が移動するための軌道となるフィルタ案内溝４２と、ピニオンギア３２の回転軸３３を支持する軸受とを有している。
【００３８】
フィルタ案内溝４２は、前方案内溝４２ａと下方案内溝４２ｂと後方案内溝４２ｃと上方案内溝４２ｄとから成る。前方案内溝４２ａ及び後方案内溝４２ｃの長さは、フィルタ２１の長手方向の約３分の２の長さに相当し、上方案内溝４２ｄの長さは、フィルタ２１の長手方向の約３分の１の長さに相当する。下方案内溝４２ｂは、前述したピニオンギア３２の歯先円と同軸の円弧軌道を形成しており、前方案内溝４２ａの下端と後方案内溝４２ｃの下端とを結んでいる。前方案内溝４２ａの上端と後方案内溝４２ｃの上端は、共に上方案内溝４２ｄの入口と繋がっている。なお、フィルタ２１の停止位置は、上方案内溝４２ｄの終端近傍に配置されているリミットスイッチ（図示せず）によって検知される。
【００３９】
（ダストボックス６０）
図２においてダストボックス６０は、フィルタ２１に付着した塵埃を除去して、その塵埃を一時的に溜める機能を有している。ダストボックス６０には、回転ブラシ６１が配設されており、この回転ブラシ６１がフィルタ２１に接触している。そして、回転ブラシ６１は、ブラシ駆動モータ（図示せず）によって回転駆動される。
【００４０】
（フィルタ清掃動作）
室内ユニット２では、制御部により定期的に、或いは使用者が必要とするときにリモコンによってフィルタ２１が自動的に清掃される。以下、その仕組みについて説明する。
【００４１】
フィルタ２１のラック２４は、前方案内溝４２ａと上方案内溝４２ｄとに収まっており、ラック２４の一端（以後、第１端部２４ａとよぶ）はピニオンギア３２と噛み合っている。ローラー３１が回転すると、ピニオンギア３２からラック２４に回転が伝達され、フィルタ２１は、ローラー３１によって下方案内溝４２ｂで方向転換して後方案内溝４２ｃ側へ搬送される。ローラー３１が回転し続けると、ラック２４の第１端部２４ａは上方案内溝４２ｄに入り上方案内溝４２ｄの終端に到達する。
【００４２】
ラック２４の第１端部２４ａが上方案内溝４２ｄの終端に到達すると、リミットスイッチが押されオン動作する。空調機の制御部は、リミットスイッチから出力されるオン信号からラック２４の第１端部２４ａが上方案内溝４２ｄの終端に到達したと判断し、ローラー３１の回転を停止させる。このとき、ラック２４は、後方案内溝４２ｃと上方案内溝４２ｄとに収まっており、ラック２４の他端（以後、第２端部２４ｂとよぶ）はピニオンギア３２と噛み合っている。
【００４３】
フィルタ２１が移動する際に、フィルタ２１の表面に付着していた塵埃は回転ブラシ６１によって掻き落される。回転ブラシ６１は、少なくともフィルタ２１が前方から後方へ移動している期間中は回転しており、その回転方向は、フィルタ２１の進行方向に逆らう方向である。
【００４４】
フィルタ２１が前方から後方へ移動し塵埃の除去が終了すると、制御部は、ローラー３１を逆回転させる。フィルタ２１のラック２４の第２端部２４ｂは、ピニオンギア３２と噛み合っているので、ピニオンギア３２からラック２４に回転が伝達され、フィルタ２１は、ローラー３１によって下方案内溝４２ｂで方向転換して前方案内溝４２ａ側へ搬送される。ローラー３１が逆回転し続けると、ラック２４の第２端部２４ｂは上方案内溝４２ｄに入り上方案内溝４２ｄの終端に到達する。
【００４５】
ラック２４の第２端部２４ｂが上方案内溝４２ｄの終端に到達すると、リミットスイッチが押されオン動作する。空調機の制御部は、リミットスイッチから出力されるオン信号からラック２４の第２端部２４ｂが上方案内溝４２ｄの終端に到達したと判断し、ローラー３１の回転を停止させる。
【００４６】
（フィルタ２１の着脱）
図３において、使用者がフィルタ２１を交換する場合、ガイド部材４１の前面に位置する保持部材４３を上方へ移動させて、フィルタ案内溝４２の前方案内溝４２ａを開く。保持部材４３は、２つの滑り部４３ａと各滑り部４３ａを繋ぐ連結部４３ｂを有している。滑り部４３ａは、前方案内溝４２ａの一部を成し、制止部材４４によって定位置に拘束されている。但し、使用者は、滑り部４３ａを持って上下に平行移動させることができる。
【００４７】
図５は、保持部材がフィルタ案内溝の前方を閉じているときのガイド部材の側面図であり、図６は、保持部材がフィルタ案内溝の前方を開けているときのガイド部材の側面図である。図５、図６において、保持部材４３の滑り部４３ａには、２つの軸４３１，４３２が設けられている。制止部材４４には、案内スリット４４ａ、第１停止部４４ｂ及び第２停止部４４ｃが設けられている。保持部材４３の軸４３１，４３２は、案内スリット４４ａに嵌まり込んで、上下に平行移動することができるが、案内スリット４４ａの下部では第１停止部４４ｂに拘束され、案内スリット４４ａの上部では第２停止部４４ｃに拘束される。
【００４８】
図５に示すように、第１停止部４４ｂには、案内スリット４４ａの幅を狭める方向に突出する第１突起４４１が形成されている。滑り部４３ａがフィルタ案内溝４２の前方案内溝４２ａを成しているときは、第１突起４４１が軸４３１と軸４３２との隙間に入り込んでいる。このため、滑り部４３ａは、使用者の手で上方に引き上げられない限り、第１停止部４４ｂから離れることができない。
【００４９】
フィルタ２１は、ガイド部材４１内に装着されているとき、フィルタ案内溝４２に沿って湾曲している。このため、保持部材４３の滑り部４３ａは、フィルタ２１の反発力を受けており、その反発力によって第１停止部４４ｂから離されようとする。しかし、軸４３１と軸４３２との間に第１突起４４１が入り込んでいるので、滑り部４３ａが第１停止部４４ｂから離れることはない。また、軸４３１及び軸４３２が案内スリット４４ａに嵌まり込んでいるので、滑り部４３ａは軸４３１及び軸４３２のいずれを中心にしても回転することができない。このため、滑り部４３ａが、フィルタ２１の反発力によって回動することはない。したがって、滑り部４３ａが、フィルタ案内溝４２を開放することはない。
【００５０】
図６に示すように、第２停止部４４ｃには、案内スリット４４ａの幅を狭める方向に突出する第２突起４４２が形成されている。滑り部４３ａが使用者の手によってフィルタ案内溝４２から離されているときは、第２突起４４２が軸４３１と軸４３２との隙間に入り込んでいる。このため、滑り部４３ａは、使用者の手で下方に引き下げられない限り、第２停止部４４ｃから離れることができない。また、軸４３１及び軸４３２が案内スリット４４ａに嵌まり込んでいるので、滑り部４３ａは軸４３１及び軸４３２のいずれを中心にしても回転することができない。このため、フィルタ案内溝４２の前方案内溝４２ａが開放された状態となり、フィルタ２１の着脱が可能となる。
【００５１】
＜特徴＞
（１）
室内ユニット２では、保持部材４３の２つの軸４３１と軸４３２が制止部材４４の案内スリット４４ａに並んで嵌まり込んでおり、且つ、その案内スリット４４ａがフィルタ案内溝４２の延びていく方向と交差している。保持部材４３がフィルタ２１の反発力によって回動しそうになっても、軸４３１と軸４３２とが保持部材４３の回動を阻止する。また、保持部材４３がフィルタ案内溝４２の前方案内溝４２ａを成す第１位置では、軸４３１と軸４３２との隙間に第１突起４４１が嵌まり込んでいるため、保持部材４３がフィルタ２１の反発力によって案内スリット４４ａに沿って移動することができない。このため、フィルタ２１の保持は確保され、フィルタ２１がガイド部材４１から脱落することはない。
【００５２】
（２）
また、保持部材４３がフィルタ案内溝４２の前方案内溝４２ａから離れた第２位置では、軸４３１と軸４３２との隙間に第２突起４４２が嵌まり込んでいるため、保持部材４３が案内スリット４４ａに沿って移動することができず、保持部材４３が重力によって回動しそうになっても、軸４３１と軸４３２とが保持部材４３の回動を阻止する。このため、保持部材４３を第２位置に移動させることによって、保持部材４３とフィルタ案内溝４２の前方案内溝４２ａの一部が開口するので、フィルタ２１の着脱が可能になる。
【００５３】
＜第１変形例＞
上記実施形態では、保持部材４３の軸４３１及び軸４３２は円形の軸であるが、これに限定されるものではない。以下、図面を用いて説明する。図７は、保持部材および制止部材の拡大側面図である。図７において、軸４３６は、軸４３１と軸４３２とがリブ４３３で連結されている。なお、リブ４３３は、軸４３１と軸４３２との間に第１突起４４１或は第２突起４４２が嵌まり込める程度の凹部４３７を残して、軸４３１と軸４３２とを連結している。このため、軸４３１及び軸４３２の変形、又は折れが防止される。
【００５４】
＜第２変形例＞
上記実施形態および第１変形例では、案内スリット４４ａがスリットであるが、これに限定されるものではなく、案内スリット４４ａの代わりに案内溝としてもよい。案内溝であっても、案内スリット４４ａと同様の作用・効果を得ることができる。
【産業上の利用可能性】
【００５５】
以上のように、本発明によれば、フィルタが正規位置から脱落することが防止されるので、空調機に有用である。
【図面の簡単な説明】
【００５６】
【図１】本発明の一実施形態に係るフィルタ保持機構を用いた空調機の外観図。
【図２】本発明の一実施形態に係るフィルタ保持機構を用いた空調機の室内ユニットの断面図。
【図３】フィルタ清掃部の斜視図。
【図４】フィルタとローラーの斜視図。
【図５】保持部材がフィルタ案内溝の前方を閉じているときのガイド部材の側面図。
【図６】保持部材がフィルタ案内溝の前方を開けているときのガイド部材の側面図。
【図７】保持部材および制止部材の拡大側面図。
【符号の説明】
【００５７】
２１  フィルタ
３１  ロータ（駆動部）
４１  ガイド部材（支持枠）
４２  フィルタ案内溝（フィルタ案内部）
４３  保持部材
４４  制止部材
４４ａ  案内スリット（案内部）
４４ｂ  第１停止部
４４ｃ  第２停止部
４３１，４３２，４３６  軸
４３７  凹部
４４１  第１突起
４４２  第２突起
【図１】
2010065882.tif 000003
【図２】
2010065882.tif 000004
【図３】
2010065882.tif 000005
【図４】
2010065882.tif 000006
【図５】
2010065882.tif 000007
【図６】
2010065882.tif 000008
【図７】
2010065882.tif 000009